(57)【特許請求の範囲】
【請求項１】
検体を含む展開液をイムノクロマトグラフ媒体中に添加する工程、標識物質保持部に乾燥保持されている金ナノ粒子により修飾された標識物質により検出対象物を認識させる工程、標識物質と検出対象物の複合体を移動相として展開させる工程、および展開された移動相中の検出対象物を判定部で検出する工程からなるイムノクロマトグラフィー検出方法において、標識物質をメルカプト基を１以上有するポリアルキレングリコール及び／又はその誘導体で保護し、次いでアルギニン及びカゼインと共に標識物質保持部に乾燥保持させることを特徴とするイムノクロマトグラフィー検出方法。
【請求項２】
メルカプト基を１以上有するポリアルキレングリコール及び／又はその誘導体が、メルカプト基を１以上有する分子量が１０００〜３００００のポリエチレングリコール及び／又はその誘導体であることを特徴とする請求項１に記載のイムノクロマトグラフィー検出方法。
【請求項３】
メルカプト基を１以上有するポリエチレングリコール及び／又はその誘導体により保護処理した後の溶液濃度が０．０００１〜０．０５重量％であることを特徴とする請求項１に記載のイムノクロマトグラフィー検出方法。
【請求項４】
クロマトグラフィー媒体に湿潤させる前の標識物質溶液の終濃度として、アルギニンの濃度が液中０．０１〜２重量％であり、カゼインの濃度が液中０．１〜１０重量％であることを特徴とする請求項１に記載のイムノクロマトグラフィー検出方法。
【請求項５】
金ナノ粒子の平均粒径が３０〜１００ｎｍの赤色金ナノ粒子または平均粒径が２０〜２００ｎｍの青色金ナノ粒子であることを特徴とする請求項１〜４のいずれかに記載のイムノクロマトグラフィー検出方法。
【請求項６】
検体が、鼻汁、鼻腔拭い液、咽頭拭い液または痰であることを特徴とする請求項１〜４のいずれかに記載のイムノクロマトグラフィー検出方法。
【請求項７】
検体希釈液にグアニジンを含有させることを特徴とする請求項１〜４のいずれかに記載のイムノクロマトグラフィー検出方法。
【請求項８】
含有させるグアニジンの濃度は、水又は緩衝液中１〜２００ｍＭであることを特徴とする請求項７に記載のイムノクロマトグラフィー検出方法。
【請求項９】
試料添加部、標識物質保持部、クロマトグラフィー媒体部、検出部および吸収部から実質的に順次構成されており、且つ試料添加部の端部と検出部との間の領域部に、標識物質をメルカプト基を１以上有するポリアルキレングリコール及び／又はその誘導体により保護し、アルギニン及びカゼインと共に乾燥保持させた標識物質保持部が設けられていることを特徴とするイムノクロマトグラフィー装置。
【請求項１０】
試料添加部、標識物質保持部、クロマトグラフィー媒体部、検出部および吸収部から実質的に順次構成されており、且つ試料添加部の端部と検出部との間の領域部に標識物質をメルカプト基を１以上有するポリアルキレングリコール及び／又はその誘導体により保護し、アルギニン及びカゼインと共に乾燥保持させた標識物質保持部が設けられているイムノクロマトグラフィー装置からなることを特徴とする検出キット。
【発明の詳細な説明】
【技術分野】
【０００１】
本発明は、非特異的反応を抑制する高性能、高感度なイムノクロマトグラフィー検出方法に関する。また、本発明は、非特異的反応を抑制して、迅速、簡便に正確に試料中の検出対象物を検査／測定ができる検出キットに関するものであり、さらに詳しくは、金属ナノ粒子で標識した検出対象物（被検出物質）を検出するための標識物質、即ち、検出対象物に特異的に結合する物質で金属コロイド粒子を感作した感作金属コロイドを、乾燥処理に対してまた乾燥状態において保護安定化し、かつ、非特異的反応を抑制して、迅速、簡便、正確に試料中の検出対象物を検査する方法に関する。
【背景技術】
【０００２】
近年、検出試料の前処理を行う必要の無い、免疫クロマトグラフィー用ストリップ形式のイムノアッセイは、抗体の持つ特異的反応性を利用して、試料液中の抗原を検出する簡便な体外診断キットもしくは携帯用診断装置として重要性が高まっている。特に、ウィルスや細菌等の病原体検査キットは、一般の病院やクリニックでも汎用されている身近な免疫クロマトグラフィー装置である。
【０００３】
ところで、免疫クロマトグラフィー装置の最も簡単な構造としては、試料添加部位、標識物質保持部、判定（検出）部位、免疫クロマトグラフィー用多孔質担体、および試料吸収部位が相互に繋がった構造である。標識物質保持部は、金属ナノ粒子で標識した検出対象物を検出するための標識物質を保護安定化溶液で処理して後、免疫クロマトグラフィー用多孔質担体に含浸又は塗布し、次いで通気乾燥、真空乾燥又は凍結乾燥などをすることにより、製造されている。
【０００４】
そして、保護安定化溶液としては、従来から、牛血清アルブミン（ＢＳＡ）などの蛋白質を保護安定化剤として含むものがよく知られているが、乾燥状態で長期間に亘って安定に維持できないという問題があったため、更なる改良、研究がなされてきた。例えば、カゼイン、ホエイ蛋白、カゼイン分解物を含有するものが報告され（特許文献１参照）、また、各種イムノアッセイにおける標識抗体の保護安定化として、金コロイドに生体分子（例えば、抗体等）を添加した後、チオール及び／又はジスルフィド基で置換されたポリエチレングリコールを含有させることにより、コンジュゲートを保護安定化する（即ち、粒子の凝集を最小にし、かつ吸着可能な自由表面を飽和させる）技術が知られている（特許文献２参照）。さらに、トレハロースといった糖類２０〜８０％および緩衝液０．５〜２ｍｏｌ／Ｌからなる保護安定化溶液が、固相免疫試薬を乾燥状態で長期間安定に保存できるものとして提案されている（特許文献３参照）。
【０００５】
また、感作金属コロイド含有凍結乾燥物の安定化を改善するために、感作金属コロイド含有溶液の凍結乾燥に際して、トレハロース、グルタミン酸−アルギニン、トリプトファン、塩化Ｃａ等々の１種以上を含有させる技術が公知である（特許文献４参照）。
【０００６】
さらに、水溶液中で保存されているタンパク質、特に酵素等の保存安定性に優れ、３ケ月保存後の、診断正確度の低下が少ない体外診断薬組成物として、グアニジン（その塩）、またはこれに更にアルギニン（その塩、又はその誘導体）を安定化剤として含有させることにより、水溶液中でのタンパク質の凝集や加水分解等を起こすという問題点を解決できることが報告されている（特許文献５参照）。
【０００７】
一方で、従来から免疫クロマトグラフィー装置において、バックグラウンド着色（判定部の固定相抗体以外の部分の着色）、ブランク発色（検出物質が存在しない場合での固定化相の発色、）およびプロゾーン現象（大過剰の被験物質を試料とした時に、見かけ上被験物質が少ないような偽陰性現象）が、検出時のＳＮ比を下げるだけでなく、誤動作の原因にもなるため問題視されている。バックグラウンド着色は、可視化された移動相抗体と多孔質担体との疎水的な結合が原因であり、また、ブランク発色は、負電荷を帯びた移動相抗体と正電荷を帯びた固定相担体との電気的相互作用が原因であり、非特異発色とも言われる。さらに、プロゾーン現象は、標識物と反応できなかった過剰の被験物質が判定部位と反応し、金属粒子で標識した被験物質を検出するための標識物質が判定部位と反応できなくなるのが原因とされている。
【０００８】
この対策として、種々の観点からの研究が多々なされている。例えば、ｐＨ緩衝剤などを含む展開液を用いる免疫クロマトグラフィー検出方法において、生物学的親和性に基づく副反応を抑制したり、非特異反応を抑制するために種々の添加剤を使用しており、例えば、抗原抗体反応の促進あるいは非特異反応の抑制のための蛋白質（例えば、牛血清アルブミン、カゼイン、ゼラチン等）、高分子化合物（例えば、ポリエチレングリコール、デキストラン、メチルセルロース、ポリビニルピロリドン等）、非イオン性界面活性剤（例えば、ツイーン２０、トリトンＸ−１００等）、イオン性界面活性剤又はポリアニオン（例えば、デキストラン硫酸、ヘパリン、ポリスチレンスルホン酸、ヒアルロン酸、コンドロイチン硫酸等）若しくはその塩等が、添加剤として挙げられている（特許文献６参照）。
【０００９】
また、被験物質を塩基性アミノ酸（例えば、アルギニン、リジン等）又はアミノ糖（例えば、グルコサミン等）を含む移動相で展開する免疫クロマトグラフィー分析法（特許文献７参照）、ならびに、アルギニン濃度が０．０２〜１．５Ｍで、ｐＨが７．０〜９．５で、アルギニン以外に緩衝剤を実質的に含まないアッセイ用媒体を用いるメンブランアッセイ法（特許文献８参照）が知られている。
【００１０】
しかしながら、バックグラウンド着色およびブランク発色などの対策、さらに生物学的親和性に基づく副反応を抑制したり、非特異反応を抑制したり、さらには、標識抗体といったコンジュゲートを安定化したりするために蛋白質（例えば、牛血清アルブミン、ゼラチン、カゼイン、ホエイ蛋白、カゼイン分解物を含有するもの等）、高分子化合物（例えば、チオール及び／又はジスルフィド基で置換されたポリエチレングリコール等）、塩基性アミノ酸（例えば、アルギニン等）などが挙げられてきてはいるものの、非特異反応は抑制されても、検出感度が低下してしまったりといった問題点が生じたりして、未だ十分に目的が達成されたとは言えず、依然として非特異反応を十分に抑制できないという同様な問題があった。
【００１１】
本発明者等は、上記の高分子化合物（例えば、チオール及び／又はジスルフィド基で置換されたポリエチレングリコール等）に着目して実験を行なった結果、試料中の被験物質をイムノクロマトグラフィー法により検出する際、ブランク発色や非特異反応が依然として起こることを観察している。そのため、乾燥保持されているコンジュゲートも長期に亘って保護安定化させ、かつ、非特異反応を十分に抑制して、検出感度の向上を達成するという課題が依然としてあった。
【発明の概要】
【発明が解決しようとする課題】
【００１２】
本発明は、従来技術に比して、標識物質を保護安定化し、かつ非特異反応を抑制する高性能、高感度なイムノクロマトグラフィー検出方法を提供することにある。また、従来技術に比して、標識物質を保護安定化し、かつ非特異的反応を抑制して、迅速、簡便および高精度に検査ができるイムノクロマトグラフィー検出キットを提供することにある。例えば、ウィルスや細菌等の病原体と特異的に反応して迅速、簡便な病原体の感染検査ができる免疫クロマトグラフィー装置を提供することにある。
さらに、試料を検体希釈液により測定に適した濃度に調整あるいは希釈した検体をこの検出キットの試料添加部に供給し、標識物質保持部に乾燥保持された標識物質と共に移動相として展開し、展開された移動相中の検出対象物を判定部で検出するにおいて、非特異的反応を抑制して、迅速、簡便、高精度に検査ができる検出キットを提供することにある。例えば、鼻汁または痰を検体希釈液により調整あるいは希釈したものをこの検出キットの試料添加部に供給することによって、迅速、簡便および高精度に病原体の感染検査ができる検出キットを提供することにある。
また、本発明は、非特異的反応を抑制して、試料中の検出対象物をイムノクロマトグラフィー法により検出する方法に関する。
【課題を解決するための手段】
【００１３】
本発明は、下記の（１）〜（９）のイムノクロマトグラフィー検出方法、イムノクロマトグラフィー装置および検出用キットを提供するものである。
（１）本発明の第１の特徴は、検体を含む展開液をイムノクロマトグラフ媒体中に添加する工程、標識物質保持部に乾燥保持されている金ナノ粒子により修飾された標識物質により検出対象物を認識させる工程、標識物質と検出対象物の複合体を移動相として展開させる工程、および展開された移動相中の検出対象物を判定部で検出する工程からなるイムノクロマトグラフィー検出方法において、標識物質をメルカプト基を１以上有するポリアルキレングリコール及び／又はその誘導体で保護し、次いでアルギニン及びカゼインと共に標識物質保持部に乾燥保持させることを特徴とするイムノクロマトグラフィー検出方法、にある。
【００１４】
（２）本発明の第２の特徴は、メルカプト基を１以上有するポリアルキレングリコール及び／又はその誘導体が、メルカプト基を１以上有する分子量が１０００〜３００００のポリエチレングリコールまたはその誘導体であることを特徴とするイムノクロマトグラフィー検出方法、にある。
（３）本発明の第３の特徴は、メルカプト基を１以上有するポリエチレングリコール及び／又はその誘導体により保護処理した後の溶液濃度が０．０００１〜０．０５重量％であることを特徴とする請求項１に記載のイムノクロマトグラフィー検出方法。
（４）本発明の第４の特徴は、クロマトグラフィー媒体（例えば、グラスファイバーパッド等）に湿潤させる前の標識物質溶液の終濃度として、アルギニンの濃度が液中０．０１〜２重量％であり、カゼインの濃度が液中０．１〜１０重量％であることを特徴とするイムノクロマトグラフィー検出方法、にある。
（５）本発明の第５の特徴は、金ナノ粒子の平均粒径が３０〜１００ｎｍの赤色金ナノ粒子または平均粒径が２０〜２００ｎｍの青色金ナノ粒子であることを特徴とするイムノクロマトグラフィー検出方法、にある。
（６）本発明の第６の特徴は、検体が、鼻汁、鼻腔拭い液、咽頭拭い液または痰であることを特徴とするイムノクロマトグラフィー検出方法、にある。
【００１５】
（７）本発明の第７の特徴は、検体希釈液にグアニジンを含有させることを特徴とするイムノクロマトグラフィー検出方法、にある。
（８）本発明の第８の特徴は、試料添加部、標識物質保持部、クロマトグラフィー媒体部、検出部および吸収部から実質的に順次構成されており、且つ試料添加部の端部と検出部との間の領域部に、標識物質をメルカプト基を１以上有するポリアルキレングリコール及び／又はその誘導体により保護し、アルギニン及びカゼインと共に乾燥保持させた標識物質保持部が設けられていることを特徴とするイムノクロマトグラフィー装置、にある。
（９）本発明の第９の特徴は、試料添加部、標識物質保持部、クロマトグラフィー媒体部、検出部および吸収部から実質的に順次構成されており、且つ試料添加部の端部と検出部との間の領域部に標識物質をメルカプト基を１以上有するポリアルキレングリコール及び／又はその誘導体により保護し、アルギニン及びカゼインと共に乾燥保持させた標識物質保持部が設けられているイムノクロマトグラフィー装置からなることを特徴とする検出キット、にある。
【発明の効果】
【００１６】
本発明のイムノクロマトグラフィー検出方法は、イムノクロマトグラフィー装置に標識物質保持部を設けるに際し、標識物質を分子量１０００〜３００００のメルカプト基を１以上有するポリアルキレングリコールにより、好ましくは分子量１０００〜３００００の、より好ましくは分子量２０００〜２００００のメルカプト基を１以上有するポリエチレングリコール及び／又は誘導体により保護し、アルギニン及びカゼインと共に乾燥保持させることにより、金属ナノ粒子で標識した検出対象物を検出するための標識物質、即ち、被検出物質に特異的に結合する物質で金属コロイド粒子を感作した感作金属コロイドを、乾燥処理から保護すると共に長期間に亘って乾燥状態で安定的に保持できるため、試料中の検出対象物（例えば、抗原など）を検出する際に、その安定化や非特異反応の抑制機構の原理の詳細は不明であるが、分子量１０００〜３００００のメルカプト基を１以上有するポリエチレングリコール及び／又は誘導体、アルギニン及びカゼインの三者が三位一体となって、協同作用して、非特異反応を顕著に抑制でき、しかも、感度の低下がないので、正確に結果の判定が可能である。例えば、検体として用いる咽頭拭い液中のウイルス等を検出する際に、感度の低下がなく、しかも、非特異反応を顕著に抑制するため、正確に感染の有無検査等の結果の判定が可能である。本発明のイムノクロマトグラフィー用検査キットは、病原菌の有無検査に有効であり、特に特定ウィルスの有無検査が迅速かつ正確に可能であることにより、的確な治療措置を行なうことが出来るため、医療現場において好適に用いられる。
【図面の簡単な説明】
【００１７】
【図１】イムノクロマトグラフィー装置の試験片の概略図
【発明を実施するための最良の形態】
【００１８】
以下、本発明を詳細に説明する。
本発明者等は、免疫クロマトグラフィー装置において、鋭意研究を重ねた結果、イムノクロマトグラフィー装置に標識物質保持部を設けるに際し、標識物質を分子量１０００〜３００００のメルカプト基を１以上有するポリアルキレングリコールにより、好ましくは分子量２０００〜２００００のメルカプト基を１以上有するポリエチレングリコールにより保護し、アルギニン及びカゼインと共に乾燥保持させることにより、被検出物質に特異的に結合する物質（例えば、抗体、抗原、酵素、ペプチド等々の生体分子）で金属コロイド粒子を感作した感作金属コロイドを、乾燥処理から安定的に保護すると共に長期間に亘って乾燥状態で安定的に保持できるようにしたものである。その作用機序は不明ではあるが、分子量１０００〜３００００のメルカプト基を１以上有するポリエチレングリコール及び／又はその誘導体、アルギニン及びカゼインの三者は、共働して標識物質における金属粒子の自由表面に複合吸着することにより被覆飽和させて、非特異的反応を惹起するような吸着の可能性を顕著に消失させ、かつ、金属粒子の凝集を最低に保持する作用を果たし、さらに、移動相抗体と多孔質担体との疎水結合や移動相抗体と固定相担体との電気的相互作用を、アルギニン、メルカプト基を１以上有するポリエチレングリコール及び／又はその誘導体及びカゼインの相互作用によって高度に打ち消す作用をすることが想定される。さらに検出対象物や標識化した検出試薬の安定化、並びに検出対象物と標識抗体との反応による複合体の安定化が、メルカプト基を１以上有するポリエチレングリコール及び／又はその誘導体、アルギニン及びカゼインの相乗作用によってなされると同時にそれらの移動相としての移動をスムーズにする作用を果たすことにより、非特異反応を極めて顕著に抑制して、試料中の検出対象物を特異的に高感度かつ迅速に検出／測定が高精度に出来ることを初めて知見し、本発明の完成に至ったものである。
【００１９】
本発明で使用可能なポリアルキレングリコール及び／又はその誘導体とは、  分子量１０００〜３００００のメルカプト基を１以上有するポリアルキレングリコール及び／又はその誘導体であり、そのメルカプト基を１以上有するという部分は、モノメルカプト、ジメルカプト等であり、分枝構造を採る場合には、トリメルカプト、テトラメルカプト等の例が挙げられる。そのアルキレングリコール及び／又はその誘導体部分の例として、ポリエチレングリコール（「ＰＥＧ」という）、ポリプロピレングリコール（「ＰＰＧ」という）、ポリブチレングリコール（「ＰＢＧ」という）のような単独重合体、或いはエチレングリコール（「ＥＧ」という）セグメント、プロピレングリコール（「ＰＧ」という）セグメントの任意の構成割合からなる、例えば、ＥＧ、ＰＧ、ＢＧの混在するランダムまたはＰＥＧ、ＰＰＧ、ＰＢＧブロックの混在するブロック共重合体などが挙げられる。
例えば、ＨＳ−ＰＥＧ、ＨＳ−ＰＥＧ−ＳＨ、ＨＳ−ＰＰＧ、ＨＳ−ＰＰＧ−ＳＨ
ＳＨ−ＰＢＧ、ＨＳ−ＰＢＧ−ＨＳ、ＨＳ−ＰＥＧ−ＰＰＧ、ＨＳ−ＰＥＧ−ＰＰＧ−ＨＳ、ＨＳ−ＰＥＧ−ＰＢＧ−ＨＳ、ＨＳ−ＰＥＧ−ＰＰＧ−ＰＢＧ−ＨＳ  などの各種ＥＧ，ＰＧ，ＢＧなどをランダムに、またはブロックとして任意に含むポリマーが挙げられる。
ポリアルキレングリコール及び／又はその誘導体部分の範疇に属する特に本発明の実施に有用な重合体は、ポリエチレングリコール（ＰＥＧ）であり、その分子量としては、例えば、分子量１０００〜３００００の範囲のもの、具体的な分子量の例は、１５００、５０００、８０００、１５０００、１８０００、２５０００というような任意の分子量のものが使用できる。実際には、その正確な数値の分子量を入手することが困難であるから、その分子量の前後のものを入手して使用すれば足りる。いずれにせよ、メルカプト基を１以上有するポリアルキレングリコール及び／又はその誘導体の範疇に属するものであることが必須の要件である。そして、メルカプト基を１以上有するポリアルキレングリコールやその誘導体は、これらの混合物であっても使用可能である。
【００２０】
本発明のイムノクロマトグラフィー用の標識物質の保護に最も好適に用いられる分子量１０００〜３００００のメルカプト基を１以上有するポリエチレングリコール（ＰＥＧ）及び／又はその誘導体としては、一般式
Ｘ−（ＣＨ２ＣＨ２Ｏ）ｎ−ＣＨ２ＣＨ２−ＳＨ
（ここで、Ｘは、ＨＳ−、保護されていてもよいＨＯ−、アルキル−Ｏ−を、ｎは、１５〜５４０の整数を表わす。）で表わされ、その誘導体としては、末端基であるＯＨ及びＳＨの保護基や誘導体をいう。例えば、ＯＨの場合には、ペプチド合成の分野で汎用されている保護基、ｐ−トルエンスルホニル基、カルボニル基等が含まれ、さらに、アルキル基、特に、メチル基が好ましく用いられる。
具体的なメルカプト基を１以上有するポリエチレングリコール及び／又はその誘導体としては、例えば、モノメルカプトポリエチレングリコール、ジメルカプトポリエチレングリコールが挙げられるが、分枝構造を採る場合には、トリメルカプトポリエチレングリコール及び／又はその誘導体などが挙げられる。
【００２１】
本発明のメルカプト基を１以上有するポリエチレングリコール（ＰＥＧ）及び／又はその誘導体としては、市販されている分子量のもの（分子量が１０００〜３００００）を入手して使用することができる。特に好ましい分子量としては、２０００〜２００００のものであり、例えば、メトキシ−ＰＥＧ−チオール２０００、チオール−ＰＥＧ−チオール３４００、メトキシ−ＰＥＧ−チオール５０００、メトキシ−ＰＥＧ−チオール２００００等々の商品として入手できることが挙げられる。分子量が２０００未満では、標識物質に対するＰＥＧ修飾が十分であっても、乾燥に対する安定性や保護機能が十分に発揮できなかったり、さらに、非特異反応の抑制も低下したりする。一方で、分子量が２００００を超えると、標識物質に対するＰＥＧ修飾が不均一かつ不十分となって、その結果、乾燥に対する安定性や保護機能が均一かつ十分に発揮できなかったり、さらに、非特異反応の抑制も低下したりする。いずれにせよ、分子量が１０００〜３００００の範囲内のものであれば、比較的高純度のものとして入手できるばかりでなく、標識物質に対するＰＥＧ修飾が十分になされ、乾燥に対する安定性や保護機能が十分に発揮され、かつ、非特異反応の抑制も十分になされる。
【００２２】
分子量が１０００〜３００００のメルカプト基を１以上有するポリアルキレングリコールまたはその誘導体を使用することを必須としながらも、場合によっては、例えば、分子量が３０００のＰＥＧと８０００のＰＥＧというような、分子量が相違する二種類のメルカプト基含有ポリアルキレングリコールまたはその誘導体を任意の割合でポリマーブレンドしたものも使用できる。同様に、メルカプト基の観点から吟味すれば、メルカプト基を１個有するポリアルキレングリコールまたはその誘導体と２個有するポリアルキレングリコールまたはその誘導体を任意の割合でポリマーブレンドしたものも、例えば、「ＨＳ−ＰＥＧとＨＳ−ＰＥＧ−ＳＨ」の混合物のようなものが挙げられる。さらには、メルカプト基を１以上有するポリアルキレングリコールまたはその誘導体２０〜９９ｗｔ％程度とメルカプト基を有しないポリアルキレングリコール１〜８０ｗｔ％程度のポリマーブレンドのものも、例えば、「ＨＳ−ＰＥＧとＰＥＧ」の混合物のようなものが挙げられる。このポリマーブレンドの場合には、メルカプト基を１以上有するポリアルキレングリコールの機能を低下させないようにブレンド量の調整に注意を要する。
ブレンドポリマーにおける分子量が相違する二種類のメルカプト基含有ポリアルキレングリコール及び／又はその誘導体の例としては、チオール−ＰＥＧ−チオール３４００とメトキシ−ＰＥＧ−チオール５０００の混合物からなる仕様のものを用いることが可能である。
【００２３】
メルカプト基を１個以上有するポリアルキレングリコール及び／又はその誘導体、特に代表的なメルカプト基を１以上有するポリエチレングリコール及び／又は誘導体を、検出対象物に特異的に反応する試薬成分（例えば、抗体など）を金ナノ粒子により修飾した標識物質に用いる濃度としては、メルカプト基を１以上有するポリエチレングリコール誘導体により保護処理した後の溶液中、０．０００１〜０．０５重量％の濃度であり、好ましくは０．０００５〜０．０１重量％の濃度であり、例えば、水中０．００１重量％濃度の分子量５０００のメトキシ−ＰＥＧ−チオールを用いることができる。０．０００１重量％未満では、乾燥に対する安定性や保護機能が不十分となり、かつブランク発色や非特異的反応を抑制できず正確な判定が行なえない。０．０５重量％を超えて用いる場合、標識物質粒子が凝集する場合があるばかりか、必要以上の濃度となり、それに応じた効果が期待できず、経済的でなく無駄となる。
【００２４】
本発明のイムノクロマトグラフィー用の標識物質溶液中に含有されるアルギニンとは、５−グアニジノ−２−アミノペンタン酸とも呼称される、天然に存在するアミノ酸類である。アルギニンとしては、Ｌ−アルギニン（Ｃ６Ｈ１４Ｎ４Ｏ２）が好ましく用いられ、その濃度は、グラスファイバーパッドに浸潤させる前の標識物質溶液の終濃度として液中０．０１〜２重量％の濃度であり、好ましくは０．０２〜０．５重量％の濃度である。例えば、０．１重量％のＬ−アルギニン水溶液が好ましく用いられる。０．０１重量％未満では、乾燥に対する安定性や保護機能が不十分であり、かつブランク発色や非特異的反応を抑制できず正確な判定が行なえない。２重量％以上では、必要以上の濃度となり、それに応じた効果が期待できず、無駄となる。
【００２５】
本発明のカゼインとは、牛乳やチーズに含まれる天然に存在するリンタンパク類の一種であり、イムノクロマトグラフィー用の標識物質溶液中に含有されるカゼインとしては、カゼインそのものや、カゼインを主成分として含有するスキムミルクなどが用いられる。その濃度は、グラスファイバーパッドに浸潤させる前の標識物質溶液の終濃度として液中０．１〜１０重量％の濃度であり、好ましくは０．２〜５重量％の濃度である。例えば、１重量％のカゼインを含む緩衝液が好ましく用いられる。０．１重量％未満では、十分な作用効果が奏されない。１０重量％以上では、必要以上の濃度となり、それに応じた効果が期待できず、無駄となる。
【００２６】
メルカプト基を１以上有するポリエチレングリコール誘導体により保護された標識物質の水溶液（「Ａ」と略す）に、アルギニンの水溶液（「Ｂ」と略す）及びカゼインの水溶液（「Ｃ」と略す）を、上記のような濃度となるように適宜組み合わせて調合するが、Ｂ及びＣの各濃度は、０．０１〜２重量％及び０．１〜１０重量％であり、好ましくは０．０５〜１重量％及び０．５〜５重量％である。
【００２７】
本発明では、検体希釈液中にグアニジン又はその塩を含有させることが好ましい。グアニジンの塩としては、無機塩または有機塩であってよく、例えば、塩酸塩、硫酸塩、リン酸塩、酢酸塩、酒石酸塩、リンゴ酸塩、クエン酸塩等々である。グアニジンの濃度は、水もしくは緩衝液中１〜２００ｍＭの濃度であり、好ましくは２〜１００ｍＭの濃度であり、さらに好ましくは、５〜５０ｍＭの濃度である。例えば、２０ｍＭのグアニジン塩酸塩を含む緩衝液が好ましく用いられる。１ｍＭ未満では、十分な作用効果が達成されない。２００ｍＭ以上では、必要以上の濃度となり、それに応じた効果が期待できず、無駄となる。
【００２８】
本発明のイムノクロマトグラフィー検出方法に使用する、好ましくは、金ナノ粒子は平均粒径が３０〜１００ｎｍの赤色金ナノ粒子、および／または平均粒径が２０〜２００ｎｍの青色金ナノ粒子が好ましい。勿論、白金、銀、ゲルマニウム、ロジウム、パラジウムなどの貴金属粒子、チタン、鉄、亜鉛などの平均粒径が１０〜２５０ｎｍ、好ましくは３５〜１２０ｎｍ程度の金ナノ金属粒子も使用できる。しかし、金ナノ粒子は、診断精度の面で最も推奨されるが、金を主体とする金と白金のような金属の混合物も使用することができる。さらには、ある特殊な診断の為に、金属ナノ粒子をできるだけ同一形状にする、例えば真球状にするとか、各粒子の粒径をできるだけ均一そろえるという工夫をすることもできる。
このようなナノ金属粒子が分散状態にある、例えば、抗体、抗原による感作金属コロイド、感作金コロイド、感作白金−金コロイド、感作金−銀コロイド、鉄コロイドなど挙げられるが、金コロイドが取り扱いが容易であり、測定の精度などから推奨される。コロイド金標識増感剤の併用も診断の測定感度を向上させる為に推奨される。
診断の目的が、高感度、高精度が求められるような特殊な場合には、金コロイドの例で言えば、コロイドの粒子の形状を同じ形のもの、例えば真球状にしたものを多くするとか、コロイド粒子の粒径を均一にするということ、例えば、４０ｎｍ、８０ｎｍ、または１２０ｎｍというような、特定な粒径の一点に集中させるという、いわゆる粒度分布曲線を狭くしたコロイドにするという工夫をすることも可能である。
さらには、金属コロイドの発色性を調和する為に、金の粒子状態およびその集まりにより色彩が異なるので、可視光線の領域における特有の色彩を有する、例えば、赤色金ナノ粒子コロイドと青色金ナノ粒子コロイドを任意の割合で配合することにより、所定の色彩を有する金ナノ粒子コロイドを調整することも可能である。判定の際には、色彩を調節することにより、より鮮明な色彩表示を工夫することにより、判定の精度を向上させることも可能であり、例えば赤（波長７７０〜６４０ｎｍ）緑（波長４９０〜４３０ｎｍ）青（４９０〜４３０ｎｍ）の光の三原色を適宜組み合わせる要領である。いずれの金属ナノ粒子コロイドも、製品として市場から容易に入手できる。
なお、平均粒径は、コロイドの粒度分布を動的光散乱法粒度分布計で測定した後の平均粒径を求めるという各種慣用の測定法に基づいて決めることができる。
【００２９】
本発明のイムノクロマトグラフィー用の標識物質溶液等々は、緩衝剤や界面活性剤、特に、非イオン界面活性剤を含有させることが好ましい。
含有させる緩衝剤としては、試料の添加や試料の蒸発や希釈による濃度の変化、外部からの多少の異物の混入によっても致命的な影響を生じない作用（緩衝作用）を持つものであれば特に制限はない。
本発明において、緩衝剤としては、酢酸緩衝液（酢酸＋酢酸ナトリウム）、リン酸緩衝液（リン酸＋リン酸ナトリウム）、クエン酸緩衝液（クエン酸＋クエン酸ナトリウム）、ホウ酸緩衝液、トリス塩酸緩衝液（トリス（ヒドロキシルメチル）アミノメタン＋塩酸）、ＴＥ緩衝液（トリス＋エチレンジアミン四酢酸）、ＴＡＥ緩衝液（トリス＋酢酸＋エチレンジアミン四酢酸）、ＴＢＥ緩衝液（トリス＋ホウ酸＋エチレンジアミン四酢酸）又はＨＥＰＥＳ緩衝液（２−［４−（２−ヒドロキシエチル）−１−ピペラジニル］エタンスルフォン酸）等が挙げられる。好ましくは、ＨＥＰＥＳ緩衝液、リン酸緩衝液、酢酸緩衝液、トリス塩酸緩衝液などであり、より好ましくは、ＨＥＰＥＳ緩衝液である。また、悪影響を及ぼさない範囲内においてその他の緩衝剤を配合して使用することもできる。
【００３０】
本発明のイムノクロマトグラフィー用の標識物質溶液や検体希釈液等々を含む試薬組成物中に含有させる非イオン性界面活性剤としては、ポリオキシエチレンアルキルエーテル、ポリオキシエチレン／ポリオキシプロピレンアルキルエーテル（日油（株）製、商品名：ノニオン（登録商標）ＭＮ８１１、ナカライテスク社製、商品名：ＮＰ−４０）、ポリオキシエチレンソルビタン脂肪酸エステル（商品名「Ｔｗｅｅｎ」シリーズ）、ポリオキシエチレンｐ−ｔ−オクチルフェニルエーテル（商品名「Ｔｒｉｔｏｎ」シリーズ）、ポリオキシエチレンｐ−ｔ−ノニルフェニルエーテル（商品名「ＴｒｉｔｏｎＮ」シリーズ）、アルキルポリグルコシド、脂肪酸ジエタノールアミド、アルキルモノグリセリルエーテル等を挙げることができる。非イオン性界面活性剤は、単独でも２種以上を混合しても用いることが出来る。
【００３１】
本発明のイムノクロマトグラフィー用の各種試薬組成物には、生物学的親和性に基づく副反応を抑制したり、非特異的反応を抑制することが公知の添加剤、例えば、抗原抗体反応の促進あるいは非特異的反応を抑制するための蛋白質（例えば、牛血清アルブミン、ゼラチン等）、高分子化合物（例えば、ポリエチレングリコール、メチルセルロース、ポリビニルピロリドン、ポリビニルアルコール、デキストラン等）、イオン性界面活性剤又はポリアニオン（例えば、デキストラン硫酸、ヘパリン、ポリスチレンスルホン酸、コンドロイチン硫酸等）、あるいは、抗菌剤等々の１種もしくは２種以上を添加して使用することも可能かつ有効であって、何ら妨げるものではない。また、これらの抗原抗体反応の促進あるいは非特異的反応を抑制するための蛋白質、高分子化合物、イオン性界面活性剤又はポリアニオン、あるいは、抗菌剤等々の１種もしくは２種以上を、固定相を構成するクロマトグラフィー媒体上の、移動相の移動経路上に保持させておくことも可能かつ有効であって、何ら妨げるものではない。
【００３２】
本発明のイムノクロマトグラフィー用標識物質溶液を固相中に保持させるに際し、標識物質溶液中に含有させる保護安定化物質もしくは溶解促進物質としては、糖類、即ち、単糖類、二糖類、三糖類、オリゴ糖又は多糖類が使用できる。単糖類としては、グルコース、ガラクトース、キシロース、フラクトース等が、二糖類としては、トレハロース、シュークロース、ラクトース、マルトース等が、三糖類やオリゴ糖としては、ラフィノース等が、多糖類としては、グルコン酸、デキストラン等が、挙げられ、これらは、１種又は２種以上を混合して用いても何ら差支えない。
【００３３】
また、本発明の標識物質保持部をイムノクロマトグラフィー装置の領域部内に設けるとは、試料添加部の端部と判定部との間の領域内に、標識物質を分子量１０００〜３００００のメルカプト基を１以上有するアルキレングリコール及び／又はその誘導体（保護試薬）により保護処理された溶液と、アルギニン及びカゼイン（安定化試薬）を混合した標識物質保護安定化試薬含有組成物を、塗布、吸着もしくは含浸させて後、乾燥させることによって担持または保持もしくは形成させるものである。標識物質保護安定化試薬含有組成物を調製するに際して、保護処理された標識物質溶液と混合する試薬の添加順序としては、どの安定化試薬を最初に混合し、又、どの安定化試薬を最後に混合するかは、標識物質保護安定化試薬含有組成物の状態を考慮して、任意に決めることができるものであり、設計事項の範囲内である。例えば、標識物質にまず分子量１０００〜３００００のメルカプト基を１以上有するポリエチレングリコール及び／又はその誘導体を添加し、次いでこれにアルギニン又はカゼインを一者ずつ順次加えていってもよい。あるいは、標識物質にまず該ポリエチレングリコール及び／又はその誘導体を添加し、次いでこれにアルギニン及びカゼインの二者混合物を加えてもよい。もしくはアルギニン及びカゼインの二者混合物（添加順不同）の溶液へ、標識物質に該ポリエチレングリコール誘導体を加えた溶液を加えてもよい。加えるにあたっては、均一に加えられるのであれば少量ずつ連続的に加えても又は間欠的に加えてもよいし、一度に加えてもよく、加える量に応じて適宜なし得る設計事項の範囲内である。標識物質保持部の大きさ（幅）、濃度などはその性能を考慮して、任意に決めることができるものであり、設計事項の範囲内である。
【００３４】
本発明のイムノクロマトグラフィー用標識物質溶液やその他の試薬組成物を含む部位を設ける方法としては、例えば、イムノクロマトグラフィー装置におけるグラスファイバーパッド（標識物質保持部材）中へイムノクロマトグラフィー用標識物質溶液を塗布又は含浸させた後、乾燥させる方法（通気乾燥、真空乾燥、自然乾燥、凍結乾燥等々）により、グラスファイバーパッド中へ担持または保持させる態様とすることができる。
【００３５】
本発明のイムノクロマトグラフィー用の検体希釈液は、また展開液としても使用することができるものであるが、通常、溶媒として水を用い、これに緩衝液、塩、および非イオン界面活性剤、さらに、前記抗原抗体反応の促進あるいは非特異的反応を抑制するための蛋白質、高分子化合物（ＰＶＰ等）、イオン性界面活性剤又はポリアニオン、あるいは、抗菌剤、キレート剤等々の１種もしくは２種以上を加える。加える順序は特に特定されず、同時に加えても差支えない。展開液として用いる場合には、検出試料と展開液を予め混合したものを、サンプルパッド（試料添加部分）上に供給・滴下して展開させることもできるし、先に試料をサンプルパッド（試料添加部分）上に供給・滴下して後、展開液をサンプルパッド（試料添加部分）上に供給・滴下して展開させてもよい。試料希釈液として使用する場合には、試料を測定に適した濃度に調整する或いは希釈する希釈液は、そのまま展開液としてサンプルパッド（試料添加部分）上に供給・滴下することにより使用できる。
【００３６】
本発明の検出対象物を含む試料（検体）としては、例えば、主として生体試料、即ち、血液、血清、血漿、尿、唾液、髄液、汗、涙、羊水、乳頭分泌液、鼻汁、痰、鼻腔又は咽頭拭い液、皮膚からの浸出液、組織や細胞及び糞便からの抽出物等々が挙げられる。
【００３７】
本発明の検出対象物としては、それと特異的に結合する、例えば、抗原−抗体反応のように特異的に結合する物質が存在するもしくは製造できるものであればよく、特に限定されない。検出対象物が完全抗原といったそれ自体が抗原性を有するものであっても、もしくはハプテン（不完全抗原）といったそれ自体が抗原性を有しなくても化学的変成物とすることにより抗原性を持つに至るものであってもよい。これらの検出対象物と特異的に結合する物質が存在するもしくは製造できるものであればよく、モノクローナル抗体若しくはポリクローナル抗体とすることができる。本発明の検出対象物を例示すれば、ペプチドホルモン（成長ホルモン（ＧＨ）、副腎皮質刺激ホルモン（ＡＣＴＨ）、メラミン細胞刺激ホルモン（ＭＳＨ）、プロラクチン、甲状腺刺激ホルモン（ＴＳＨ）、黄体形成ホルモン（ＬＨ）、卵胞刺激ホルモン（ＦＳＨ）、下垂体ホルモン、カルシユウム代謝調節ホルモン、膵ホルモン、消化管ホルモン、血管作用ホルモン、ヒト絨毛性性腺刺激ホルモン（ｈＣＧ）、エストロン等の卵胞ホルモン、プロゲストロン等の天然又は合成黄体ホルモン、テストステロン等の男性ホルモン、コルチゾール等の副腎皮質ホルモン、ジヨードサイロニン等の甲状腺ホルモン類等々のホルモン、前立腺性酸性フォスファターゼ（ＰＡＰ）、前立腺特異抗原（ＰＳＡ）、アルカリ性フォスファターゼ、トランスアミナーゼ、トリプシン、ペプシノーゲン、α−フェトプロテイン（ＡＦＰ）、ガン胎児性抗原（ＣＥＡ）等のガン特異物質、免疫グロブリンＧ（ＩｇＧ）等の血清蛋白成分、リュウマチ因子、セロトニン、ウロキナーゼ、フェリチン、サブスタンＰ、便潜血、梅毒抗体、インフルエンザウィルス、アデノウィルス、ロタウィルス、マイコプラズマ、ＨＢｓ抗原、ＨＢｓ抗体、クラミジア抗原、Ａ群β溶連菌抗原、コレステロール、胆汁酸、強心性ステロイド、サポゲニン等のその他のステロイド類、エピネフリン、ドーパミン、生理活性アルカロイド類、アミノ基含有向精神薬類、ＴＲＨ等の低分子ペプチド類、プロスタグランジン類、ビタミン類、ペニシリン等の抗生物質類、その他生体内成分、生体内投与薬物およびその代謝産物等が挙げられるが、好ましい検出対象物としては、特にウィルスや細菌等の病原体、好ましくはインフルエンザウィルス、アデノウィルス、ロタウィルス、マイコプラズマ等々に最適に用いられ、本発明の検出対象物を含む試料（検体）としては、例えば、鼻汁、痰、鼻腔又は咽頭拭い液が用いられる。
【００３８】
本発明の検体として咽頭拭い液を用いた場合は、検体希釈液を用いて希釈して後、イムノクロマトグラフィー装置におけるサンプルパッド上に供給／滴下する。本発明のイムノクロマトグラフィー用検査キットは、病原菌の有無検査に有効であり、特に特定ウィルスの有無検査の結果により迅速で正確な治療措置を行なうことが出来る。
【００３９】
鼻汁、痰、鼻腔又は咽頭拭い液等々の生体試料中に存在するウィルス等の有無を検査するためのイムノクロマトグラフィー装置は、その構造およびその動作・検出手法は公知である。
従来のイムノクロマトグラフィー装置のサンプルパッド中へ生体試料を採取した本発明の検体希釈液を供給／滴下し、本発明のイムノクロマトグラフィー用標識物質溶液を担持させた、例えば、含浸後、乾燥させたイムノクロマトグラフィー装置を用いて、特異的に結合する反応、例えば、抗原抗体反応により試料中の検出対象物、例えば、咽頭拭い液中のインフルエンザウィルス等の同定・定量等の検査をすることができる。
【００４０】
イムノクロマトグラフィー装置および仕様について、以下に説明をする。
イムノクロマトグラフィー装置は、試料添加部位（１）（「サンプルパッド」）、標識物質保持部位（２）、クロマトグラフィー媒体（３）、判定部位（４）、吸収部位（５）、およびバッキングシート（６）から構成されている。それらの各部位の構造、仕様および態様は以下のとおりである。
１）試料添加部位（１）（「サンプルパッド」）は、図１を参考にすると、試料が迅速に吸収されるが、保持力は弱く、速やかに反応部へと試料が移動していくような性質の多孔質シートで構成されている。多孔質シートとしては、セルロース濾紙、ガラスファイバー濾紙、ポリウレタン、ポリアセテート、酢酸セルロース、ナイロン、綿布等が挙げられる。本発明の多孔質シートとしては、ガラスファイバー濾紙が好ましく用いられる。本発明においては、非特異的反応を抑制するために、サンプルパッド（１）中に、緩衝液および非イオン界面活性剤等々を含むイムノクロマトグラフィー用試薬組成物を予め含浸させて後、乾燥させる等の手段により担持させる態様とすることができる。例えば、トリス塩酸緩衝液および片末端にアルキル基を持つポリオキシエチレン／ポリオキシプロピレンブロック共重合体の各成分を含有するイムノクロマトグラフィー用試薬組成物の成分を予め担持または保持させておく態様とすることが可能かつ有効であって、何ら妨げるものではない。
【００４１】
２）標識物質保持部位（２）には、標識成分によって試薬成分を標識した標識試薬を担持または保持させている。標識成分としては、金コロイド粒子、銀コロイド粒子等の金属コロイド粒子、各種のモノマーを（共）重合させて合成した合成高分子を染色して得られる着色ラテックス粒子、酵素、蛍光化合物、その他を用いることができる。試薬成分としては、分析物を認識する能力を有する粒子又は分子であり、好ましくはモノクローナル抗体又はポリクローナル抗体若しくはそのフラグメントである（第二試薬）。
【００４２】
３）クロマトグラフィー媒体（３）は、膜担体上に判定部位（４）を作成したものである。膜担体としては、毛細管現象により試料検体を吸収し移動させることができるものであれば、特に限定されるものではない。例えば、ニトロセルロース、酢酸セルロース、ナイロン、ポリエーテルスルホン、ポリビニルアルコール、ポリエステル、ガラスファイバー、ポリオレフィン、セルロース、これらの混合繊維からなる人工ポリマーからなる群から選択される。それらの繊維、織布、不織布、布、膜などの任意のものからなる。
【００４３】
４）判定部位（４）には、モノクローナル抗体又はポリクローナル抗体若しくはそのフラグメント（第一試薬）が、ニトロセルロースのシート上に担持固定されている。
この判定部位（４）に用いる試薬成分（第一試薬）および標識試薬に用いる試薬成分（第二試薬）は、その一方又は両方がモノクローナル抗体であってもよいし、ポリクローナル抗体であってもよいが、特異性を保った上で製造コストや抗体の安定供給を考慮する場合は少なくとも一方がポリクローナル抗体であることが好ましい。更に、標識試薬に用いる試薬成分（第二試薬）は、測定感度等の点から特異性の高いモノクローナル抗体がより好ましい。インフルエンザウィルスといった病原性が高い検体の検査にあっては、両方がモノクローナル抗体であることが最も好ましい。
【００４４】
モノクローナル抗体およびポリクローナル抗体若しくはそのフラグメントは、公知であり、入手可能であり、公知の方法により調整することができる。抗体産生動物種としては、ヒト、マウス、ラット、ウサギ、ヤギ等々である。免疫グロブリンとしては、ＩｇＧ、ＩｇＭ、ＩｇＡ、ＩｇＥ、ＩｇＤのいずれでも良い。
モノクローナル抗体は、常法に従って、抗原（インフルエンザウィルス等）で免疫したマウスの脾臓細胞と骨隋腫細胞をハイブリッドさせ、目的とする抗体を産生するハイブリドーマを選択し、このハイブリドーマから産生されてくるモノクローナル抗体を収得する。例えば、ケーラーとミルスタインの技法（Ｎａｔｕｒｅ  ２５６（１９７５）４９５−４９７）を参照。
ポリクローナル抗体は、常套手法により、抗原（インフルエンザウィルス等）を産生動物（例えば、ヒト、マウス、ラット、ウサギ、ヤギ、ウマ等）に免疫して得た抗血清中から目的とする抗体を分離することにより得られる。
【００４５】
インフルエンザウィルスは、ウィルス粒子を構成するタンパク質のうち、Ｍ１蛋白（エンベロープの内側に、それを裏打ちする形で局在し、実質的な殻の役割を果たしている。）とＮＰ蛋白（エンベロープ内部にあり、核蛋白質にらせん状に巻付いていて、ヌクレオカプシドに相当する。）の抗原性の違いに基づいて、Ａ型、Ｂ型、Ｃ型に分類される。流行の規模や感染時の被害が大きいＡ型インフルエンザウィルスは、直径８０〜１２０ｎｍ程度の、エンベロープ（殻）を持つマイナス鎖の一本鎖ＲＮＡウィルスであるが、Ａ型はさらに、ウィルス表面蛋白質であるヘマグルチミン（血球凝集素、ＨＡ）とノイラミニダーゼ（ＮＡ）の抗原性の違いに基づいて、ＨＡでは１６種類（Ｈ１からＨ１６）、ＮＡでは９種類（Ｎ１からＮ９）の亜型に分類されている。
【００４６】
判定部位（４）に用いる試薬成分（第一試薬）および標識試薬に用いる試薬成分（第二試薬）としては、それぞれ抗インフルエンザウィルスモノクローナル抗体あるいは抗インフルエンザウィルスポリクローナル抗体のどちらも用いることが可能である。しかしながら、両方に抗インフルエンザウィルスモノクローナル抗体を用いることが反応の正確性と効率性の観点から最も好ましい。
【００４７】
５）吸収部位（５）は、過剰の試料を迅速に吸収する能力を有する材料、ガラス濾紙等が用いられる。
【００４８】
６）バッキングシート（６）は、基材である。片面に粘着剤を塗布したり、粘着テープを貼り付けることにより、片面が粘着性を有し、該粘着面上に試料添加部（１）、標識物質保持部（２）、クロマトグラフィー媒体（３）、判定部（４）、および吸収部（５）の一部または全部が密着して設けられている。バッキングシート（６）は、粘着剤によって試料液に対して不透過性、非透湿性となるようなものであれば、基材としては、特に限定されない。
【００４９】
判定の原理を概説すると、
１．試料（例えば、咽頭拭い液などの検体）を、測定精度を低下させることなく、イムノクロマトグラフィー媒体中をスムーズに移動する程度の濃度に検体希釈液で調製あるいは希釈して検体試料とする。これをサンプルパッド（１）上に、所定量（通常、０．１〜２ｍｌ）滴下する。検体試料が滴下されると、サンプルパッド（１）中を検体試料は移動を開始する。
２．次いで検体試料は、標識物質保持部位（２）へと移動する。ここを検体試料が通過する際、標識物質保持部位（２）に保持されていた溶解補助物質がまず検体試料の水分に溶解し、次いで標識物質と共に保持されていた保護安定化物質並びに標識物質が、検体試料の水分に溶解し、検体試料と共に移動する。
【００５０】
３．ついで、検体試料の水分に溶解した標識試薬は、クロマトグラフィー媒体（３）上の判定部位（４）を通過する。ここでは、検体試料中に溶解している保護安定化物質等を含むイムノクロマトグラフィー用試薬組成物により非特異的結合反応は抑制され、抗原・抗体の特異的結合反応により、インフルエンザウィルスが存在する場合には、検体試料中のインフルエンザウィルスが、判定部位（４）に保持、即ち、担持固定されている抗体と標識試薬とによってサンドイッチ状に挟まれるように特異的に反応結合して、判定部位（４）が着色する。インフルエンザウィルスが存在しない場合には、試料の水分に溶解した標識試薬は、クロマトグラフィー媒体（３）上の判定部位（４）を通過しても特異的結合反応が起こらないので、判定部位（４）が着色しない。
【００５１】
４．最後に、試料の水分は、吸収部位（５）へと移動する。
このように、試料、例えば、検体試料中のインフルエンザウィルスの有無を検査することにより、インフルエンザウィルスの感染の有無を正確に判定することができる。
採取した試料である鼻汁、痰、鼻腔又は咽頭拭い液は、試料希釈液により約１０〜１００倍に希釈して、その１５０μＬをサンプルパッド（１）上に滴下／供給して展開することにより、上記と同様の検査を行なうことができ、上記と同様な結果を達成することができる。
【００５２】
以下、本発明の有効性を各仕様の実施例および実施態様を挙げて説明するが、本発明はこれらに限定されるものではない。
【実施例】
【００５３】
以下に、実施例および比較例を挙げて、本発明の有意性を説明する。その実施の仕様は以下のとおりのものである。
【００５４】
［実施例１］
（１）クロマトグラフィー媒体上への判定部の作製
メンブレンとしてニトロセルロースからなるシート（ミリポア社製、商品名：ＨＦ１２２５０ｍｍ×２５ｍｍ）を用いた。５重量％のスクロースおよび５重量％のイソプロパノールを含む１０ｍＭのリン酸緩衝液（ｐＨ７．４）で１．０ｍｇ／ｍｌの濃度になるように抗インフルエンザＡ型ウィルスモノクローナル抗体（第一抗体）を希釈し、その希釈された溶液１５０μＬを抗体塗布機（ＢｉｏＤｏｔ社製）によりメンブラン上に１ｍｍの幅で塗布し、５０℃で３０分間乾燥させ、室温で一晩乾燥させ、クロマトグラフィー媒体上に判定部を作製した。
【００５５】
（２）標識物質溶液の作製
金コロイド懸濁液（田中貴金属工業社製：平均粒子径４０ｎｍ）０．５ｍＬに、ＨＥＰＥＳ緩衝（ｐＨ７．５）で０．１ｍｇ／ｍＬの濃度になるように希釈した抗インフルエンザＡモノクローナル抗体０．１ｍＬ加え、室温で１０分間静置した。次いで、０．０１重量％のＰＥＧ−ＳＨ（日本油脂株式会社製、商品名：ＳＵＮＢＲＩＧＨＴ  ＭＥ−０５０ＳＨ、分子量５０００）を含むＨＥＰＥＳ緩衝液（ｐＨ７．５）を０．１ｍｌ加え（添加後のＰＥＧ−ＳＨ濃度：０．００１重量％）、室温で１０分間静置した。その後、十分撹拌した後、８０００×ｇで１５分間遠心分離を行い、上清を除去した後、１重量％の牛血清アルブミンを含むリン酸緩衝液（ｐＨ７．４）０．１ｍＬを加え、標識物質溶液を作製した。
【００５６】
（３）イムノクロマトグラフィー用試験片の作製
上記作製した標識物質溶液２００μｌに１００μｌの２５重量％トレハロース水溶液と８０μｌの５重量％のカゼイン（終濃度：１重量％）を含むリン酸緩衝液（ｐＨ９．０）、５μｌの１０重量％のＬ−アルギニン水溶液（終濃度：０．１重量％）を加えたものを１２ｍｍ×１００ｍｍのグラスファイバーパッド（ミリポア社製）に均一になるように添加した後、真空乾燥機にて乾燥させ、標識保持部材を作製した。次に、バッキングシートから成る基材に、上記作製した判定部を有するクロマトグラフィー媒体、標識物質保持部材、試料を添加する部分に用いるグラスファイバー製のサンプルパッド、展開した試料や標識物質を吸収するための吸収パッドを貼り合わせた。そして、裁断機で幅が５ｍｍとなるように裁断し、イムノクロマトグラフィー用試験片とした。
【００５７】
（４）検体希釈液の作製
１重量％の非イオン界面活性剤（日油株式会社製、商品名：ＭＮ８１１とナカライテスク社製、商品名ＮＰ−４０の１：１混合物）、８０ｍＭの塩化カリウム、２０ｍＭのグアニジン塩酸塩、０．４重量％のポリビニルピロリドン（平均分子量３６万）を含む５０ｍＭのＨＥＰＥＳ緩衝液（ｐＨ７．５）を調製し、鼻汁・痰・咽頭ぬぐい液等の検体を希釈処理するための試薬とした。
【００５８】
（５）測定
上記作製したイムノクロマトグラフィー用試験片及び検体希釈液を用いて、以下の方法で検体中の抗原であるインフルエンザＡ型ウィルスの存在の有無を測定した。
即ち、吸引トラップの片方の管を吸引ポンプに、もう片方の管をインフルエンザに感染していない人の鼻腔の奥部まで挿入し、吸引ポンプを陰圧にして鼻汁を採取した。採取した鼻汁を上記検体希釈液で２０倍に希釈し、これを陰性検体試料とした。また、陰性検体試料に、蛋白濃度が２５ｎｇ／ｍＬとなるように市販の不活化インフルエンザＡ型ウィルス抗原を加えたものを陽性検体試料とした。陰性検体試料、陽性検体試料とも１２０μＬをイムノクロマトグラフィー用試験片のサンプルパッド上に添加し展開させ、１５分後に目視判定をした。テストラインの赤い線を確認できるものを「＋」、鮮明に確認できるものを「＋＋」、より強く鮮明に確認できるものを「＋＋＋」、赤い線は確認できるが、非常に色が薄いものを「±」、赤い線を確認できないものを「−」とした。表１に結果を示す。
【００５９】
［実施例２］
標識物質の保護剤として、実施例１の（２）標識物質溶液の作製の工程で、０．０１重量％のＰＥＧ−ＳＨ（分子量２０００）のものを使用して、実施例１と同じ手順態様で実施した。そして、同じ目視判定基準に従って判定した。その判定結果を表１に示す。
【００６０】
［実施例３］
標識物質の保護剤として、実施例１の（２）標識物質溶液の作製の工程で、０．０１重量％のＰＥＧ−ＳＨ（分子量２００００）のものを使用して、実施例１と同じ手順態様で実施した。そして、同じ目視判定基準に従って判定した。その判定結果を表１に示す。
【００６１】
［比較例１］
標識物質の保護剤として、実施例１の（２）標識物質溶液の作製の工程で、０．０１重量％のＰＥＧ（分子量２００００）という、メルカプト基を有しないポリエチレングリコールを使用して、実施例１と同じ手順態様で実施した。そして、同じ目視判定基準に従って判定した。その判定結果を表１に示す。
［比較例２］
標識物質の保護剤として、実施例１の（２）標識物質溶液の作製の工程で、０．０１重量％のＰＥＧ（分子量５０００）に代えて、同じ機能が予測されるポリビニルピロリドン（ＰＶＰ  Ｋ−９０  分子量６３００００）を使用して、実施例１と同じ手順態様で実施した。そして、同じ目視判定基準に従って判定した。その判定結果を表１に示す。
【００６２】
［比較例３］
標識物質の保護剤として、実施例１の（２）標識物質溶液の作製の工程で、０．０１重量％のＰＥＧ−ＳＨ（分子量５０００）のものを使用して、標識物質保持部のアミノ酸成分をＬ−アルギニンに代えて「Ｌ−グルタミン酸」を使用して実施例１と同じ態様で実施した。そして、同じ目視判定基準に従って判定した。その判定結果を表１に示す。
［比較例４］
標識物質の保護剤として、実施例１の（２）標識物質溶液の作製の工程で、０．０１重量％のＰＥＧ−ＳＨ（分子量５０００）のものを使用して、標識物質保持部のアミノ酸成分をＬ−アルギニンに代えて「Ｌ−グルタミン酸＋グアニジン塩酸塩」を使用して実施例１と同じ態様で実施した。そして、同じ目視判定基準に従って判定した。その判定結果を表１に示す。
［比較例５］
標識物質の保護剤として、実施例１の（２）標識物質溶液の作製の工程で、ＰＥＧ−ＳＨ（日本油脂株式会社製、商品名：ＳＵＮＢＲＩＧＨＴ  ＭＥ−０５０ＳＨ、分子量５０００）を含むＨＥＰＥＳ緩衝液（ｐＨ７．５）を用い、標識物質保持部のアミノ酸成分としてＬ−アルギニンを用いて、標識物質保持部のタンパク質成分であるカゼインに代えて「ＢＳＡ」を使用して実施例１と同じ態様で実施した。そして、同じ目視判定基準に従って判定した。その判定結果を表１に示す。
【００６３】
【表１】
0005992703.tif 000002
【００６４】
５．配合する成分による影響の評価
１）表１の実施例１〜３の結果から、標識物質の保護剤としてＰＥＧ−ＳＨ（分子量２０００〜２００００）を含むＨＥＰＥＳ緩衝液（ｐＨ７．５）を用い、これにカゼインを含むリン酸緩衝液（ｐＨ９．０）とＬ−アルギニン水溶液が配合される場合にのみ、抗原量が０ｎｇでの「＋」や「±」といった陽性、偽陽性を示さず、ブランク発色や非特異反応が抑制されることが解る。
【００６５】
２）「比較例１」および「比較例２」に見るとおり、標識物質の保護剤としてＰＥＧ−ＳＨ（日本油脂株式会社製、商品名：ＳＵＮＢＲＩＧＨＴ  ＭＥ−０５０ＳＨ、分子量５０００）を用いずにＰＥＧ（分子量２００００）またはＰＶＰ  Ｋ−９０（分子量６３００００）を用いた場合（即ち、比較例１、２の場合）には、標識物質保持部のタンパク質成分としてカゼインを用い、かつ、標識物質保持部のアミノ酸成分としてＬ−アルギニンを用いたとしても、抗原量が０ｎｇで「＋」や「±」といった陽性、偽陽性を示し、正確な検査結果が得られないことが解る。
３）また、比較例３、４に見るとおり、標識物質の保護剤としてＰＥＧ−ＳＨ（日本油脂株式会社製、商品名：ＳＵＮＢＲＩＧＨＴ  ＭＥ−０５０ＳＨ、分子量５０００）を含むＨＥＰＥＳ緩衝液（ｐＨ７．５）を用い、これにカゼインを含むリン酸緩衝液（ｐＨ９．０）を用いても、標識物質保持部のアミノ酸成分としてＬ−アルギニンを用いずにＬ−グルタミン酸あるいはＬ−グルタミン酸とグアニジン塩酸塩の混合物を用いた場合（即ち、比較例３、４の場合）には、抗原量が０ｎｇで「＋」といった陽性を示し、ブランク発色又は非特異反応が惹起していることが解る。
【００６６】
４）「比較例５」に見るとおり、標識物質の保護剤としてＰＥＧ−ＳＨ（日本油脂株式会社製、商品名：ＳＵＮＢＲＩＧＨＴ  ＭＥ−０５０ＳＨ、分子量５０００）を含むＨＥＰＥＳ緩衝液（ｐＨ７．５）を用い、標識物質保持部のアミノ酸成分としてＬ−アルギニンを用いても、標識物質保持部のタンパク質成分としてカゼインを用いずにＢＳＡを用いた場合（即ち、比較例５の場合）には、抗原量が０ｎｇおよび２５ｎｇで「±」といった偽陽性を示し、正確な検査結果が得られないことが解る。
以下に、本発明を実施する場合には、上記実施例１〜３に準拠して実施することにより有意性を確認することができるが、その実施例の条件を若干変えて実施した場合でも同様に確認できることを、試験例または実施態様を挙げて詳細に説明するが、これらの試験例または実施態様に限定されるものではない。
【００６７】
［実施態様１］
別の実施態様として、上記実施例１における標識物質の保護剤であるＰＥＧ−ＳＨ（日本油脂株式会社製、商品名：ＳＵＮＢＲＩＧＨＴ  ＭＥ−０５０ＳＨ、分子量５０００）に代えて、ＰＥＧ−ＳＨ（日本油脂株式会社製、商品名：ＳＵＮＢＲＩＧＨＴ  ＭＥ−０５０ＳＨ、分子量５０００）とＰＥＧ−ＳＨ（日本油脂株式会社製、商品名：ＳＵＮＢＲＩＧＨＴ  ＭＥ−０２０ＳＨ、分子量２０００）との混合物を用いて同様にして測定を行なった。上記実施例１におけるＰＥＧ−ＳＨ（日本油脂株式会社製、商品名：ＳＵＮＢＲＩＧＨＴ  ＭＥ−０５０ＳＨ、分子量５０００）のみの場合と略同様の目的を達成することが可能である。
【００６８】
［実施態様２］
また、上記実施例３におけるＰＥＧ−ＳＨ（日本油脂株式会社製、商品名：ＳＵＮＢＲＩＧＨＴ  ＭＥ−２００ＳＨ、分子量２００００）に代えて、ＰＥＧ−ＳＨ（日本油脂株式会社製、商品名：ＳＵＮＢＲＩＧＨＴ  ＭＥ−０５０ＳＨ、分子量５０００）との混合物を用いて同様にして測定を行なった。上記実施例３におけるＰＥＧ−ＳＨ（分子量２００００）単独の場合と略同様の目的を達成することが可能であることが確認できる。
【００６９】
［実施態様３］
さらに、上記実施例１における標識物質の保護剤として、ＰＥＧ−ＳＨ（日本油脂株式会社製、商品名：ＳＵＮＢＲＩＧＨＴ  ＭＥ−０５０ＳＨ、分子量５０００）に代えて、ＰＥＧ−ＳＨ（日本油脂株式会社製、商品名：ＳＵＮＢＲＩＧＨＴ  ＭＥ−１００ＳＨ、分子量１００００）を用いて同様にして測定を行なった。上記試験例１の場合と略同様の目的を達成することが可能であることが確認できる。
【００７０】
［実施態様４］
次に、保護剤のメルカプト基を１以上有するポリエチレングリコール誘導体により標識物質を保護処理した溶液中の該保護剤の濃度、保護処理した溶液へ混合されるアミノ酸成分のアルギニン及びタンパク質成分のカゼインの二成分の終濃度の仕様を示す（表２）。
・メルカプト基を１以上有するポリエチレングリコール誘導体（Ａ）は、その保護処理後の溶液濃度（重量％）を０．０００５、０．００５、０．０１、０．００１、０．００１という重量％濃度として標識物質を保護処理した以外は実施例１と同様に実施する。
・アルギニン溶液（Ｂ）は、その終濃度（重量％）を０．５、０．２、０．０２、０、０．１という重量％濃度とした以外は実施例１と同様に実施する。
・カゼイン溶液（Ｃ）は、その終濃度（重量％）を０．２、５、２、１、０という重量％濃度とした以外は実施例１と同様に実施する。
（なお、各成分の重量部＝各成分濃度×各成分の配合量×１００で計算。）

【００７１】
【表２】
0005992703.tif 000003
【００７２】
上記実施態様（調合例）１〜３のような三成分の組成割合（固体換算：重量部）の溶液を使用する場合にあっても、経時変化において安定であり、しかも、標識物質の色彩が非常に鮮明で、測定時間、取り扱い、測定精度が、向上し、実施例１と略同程度の判定結果が達成される。
【００７３】
また、上記実施態様（調合例）４のようにアミノ酸成分のアルギニンが不含の場合にあっては、抗原量が０ｎｇであっても陽性を示し、ブランク発色又は非特異反応が惹起するばかりか、展開時に標識粒子が一部凝集し感度の低下や展開ムラが生じる。さらに、上記実施態様（調合例）５のようにタンパク質成分のカゼインが不含の場合にあっても、抗原量が０ｎｇで偽陽性を示し、非特異反応が惹起して正確な検査結果が得られないばかりか、展開時に標識粒子が一部凝集し感度の低下や展開ムラが生じる。
【００７４】
次に、実施例１における検体希釈液中のグアニジン塩酸塩の濃度の仕様を、実施例５〜９として示す。
［実施例５〜９］
実施例５〜９の各実施例における検体処理液中のグアニジン塩酸塩の濃度を、２，５，２０，５０，１００ｍＭとしたこと以外は実施例１と同様に実施し、それぞれ３回の繰り返し実験を行なった。その仕様と結果を表３に示す。
【００７５】
【表３】
0005992703.tif 000004
【００７６】
以上により、標識物質の保護剤として、メルカプト基を１以上有するポリエチレングリコール誘導体、標識物質保持部のアミノ酸成分としてＬ−アルギニン、および標識物質保持部のタンパク質成分としてカゼインという組み合わせを用いことにより、ブランク発色や非特異的反応を抑制し、感度よく正確に病原菌の有無検査が出来ることが見出された。
【産業上の利用可能性】
【００７７】
本発明の検出キットは、ブランク発色や非特異的反応を抑制し、特異的に鼻汁、鼻腔拭い液、咽頭拭い液または痰中の病原菌の有無を高感度かつ正確に検出できるので、病気の迅速な治療ができるという、産業上の利用可能性を有する。
【符号の説明】
【００７８】
１  試料添加部（サンプルパッド）
２  標識物質保持部
３  クロマトグラフィー媒体
４  判定部
５  吸収部
６  バッキングシート
【先行技術文献】
【特許文献】
【００７９】
【特許文献１】特開平９−８００５１号公報
【特許文献２】特開平１０−７３５９４号公報
【特許文献３】特開平２００３−２１５１２７号公報
【特許文献４】特開平１１−１２５６３５号公報
【特許文献５】特開２０１１−１９６９９６号公報
【特許文献６】特開２００７−３２２３１０号公報
【特許文献７】特開２００１−２８９８５２号公報
【特許文献８】特開２００７−１１４０４９号公報
【図１】
0005992703.tif 000005